【手続補正書】
【提出日】平成19年8月20日(2007.8.20)
【手続補正１】
【補正対象書類名】明細書
【補正対象項目名】特許請求の範囲
【補正方法】変更
【補正の内容】
【特許請求の範囲】
【請求項１】  シート束に対して針を打ち込む打ち込み部を備えたシート綴じ装置本体と、前記綴じ装置本体に対して着脱自在で、針を収納する針収納部を備えた針カートリッジとを有するシート綴じ装置において、
前記針カートリッジは複数の針長さの針に対し複数種にて対応し、複数種の針カートリッジ各々の針収納部は綴じ装置本体に装着時に針長さ方向中心が略同一になるよう針を規制するガイド部を有することを特徴とするシート綴じ装置。
【請求項２】  シート束に対して針を打ち込む打ち込み部を備えたシート綴じ装置本体と、綴じ装置本体に対して着脱自在で、針を収納する針収納部を備えた針カートリッジとを有するシート綴じ装置において、
前記針カートリッジは複数の針長さの針に対し複数種にて対応し、複数種の針カートリッジの各々は綴じ装置本体に装着時に各々の針カートリッジを識別するカートリッジ識別手段を有することを特徴とするシート綴じ装置。
【請求項３】  搬送されたシートを収納するシート収納部と、収納されたシートに対して綴じ処理可能に配された請求項２のシート綴じ装置と、
シート収納部へのシート積載枚数を指定する枚数指定手段と、
カートリッジ識別手段からの識別信号、及び枚数指定手段によるシート積載枚数に応じて、綴じ処理の実行を判断する綴じ処理判断部と、
を有することを特徴とするシート処理設置。
【請求項４】  シート積載枚数が最大綴じ許容枚数を超えていなければ、綴じをする請求項３記載のシート処理装置。
【請求項５】  シート積載枚数が綴じ許容枚数内であれば、綴じをする請求項３記載のシート処理装置。
【請求項６】  綴じ許容枚数は、上限と下限のシート積載枚数の間である請求項５記載のシート処理装置。
【請求項７】  シート積載枚数が最大綴じ許容枚数を超えているときは装置を停止して針カートリッジ交換を促し、針カートリッジの交換後、シート積載枚数が最大綴じ許容枚数を超えていなければ針の頭出しを行い、次のシート束の処理を開始する請求項４記載のシート処理装置。
【請求項８】  シート積載枚数が綴じ許容枚数以外であれば装置を停止して針カートリッジ交換を促し、針カートリッジの交換後、シート積載枚数が綴じ許容枚数内であれば針の頭出しを行い、残りのシート束の処理を開始する請求項５記載のシート処理装置。
【請求項９】  請求項７記載のシート処理装置を備え、
シート積載枚数が最大綴じ許容枚数を超えているときは装置を停止して針カートリッジ交換を促し、針カートリッジの交換後、シート積載枚数が最大綴じ許容枚数を超えていなければ針の頭出しを行い、残りのシート束の処理を開始することを特徴とする画像形成装置。
【請求項１０】  請求項８記載のシート処理装置を備え、
シート積載枚数が綴じ許容枚数以外であれば装置を停止して針カートリッジ交換を促し、針カートリッジの交換後、シート積載枚数が綴じ許容枚数内であれば針の頭出しを行い、残りのシート束の処理を開始することを特徴とする画像形成装置。
【手続補正２】
【補正対象書類名】明細書
【補正対象項目名】００１３
【補正方法】変更
【補正の内容】
【００１３】
【課題を解決するための手段】
上記目的を達成するための本発明に係る代表的な構成は、シート束に対して針を打ち込む打ち込み部を備えたシート綴じ装置本体と、前記綴じ装置本体に対して着脱自在で、針を収納する針収納部を備えた針カートリッジとを有するシート綴じ装置において、前記針カートリッジは複数の針長さの針に対し複数種にて対応し、複数種の針カートリッジ各々の針収納部は綴じ装置本体に装着時に針長さ方向中心が略同一になるよう針を規制するガイド部を有することを特徴とする。
【手続補正３】
【補正対象書類名】明細書
【補正対象項目名】００１６
【補正方法】変更
【補正の内容】
【００１６】
【発明の実施の形態】
図１は、本発明を適用したステイプラシステムである。ステイプラＳ及び針シート100枚まで許容できる針カートリッジＡ、針シート60枚まで許容できる針カートリッジＢ、針シート20枚まで許容できる針カートリッジＣより構成されており、針カートリッジＡ、Ｂ、Ｃは各々長さの異なる針がカートリッジ枠体ａに対して、リフィールケースｂを介して装填されている。
【手続補正４】
【補正対象書類名】明細書
【補正対象項目名】００２０
【補正方法】変更
【補正の内容】
【００２０】
針カートリッジＣ＝クラウン長さ(13mm)＋(束厚み(2mm)＋折り返し長さ(3mm))×2＝23mm
【手続補正５】
【補正対象書類名】明細書
【補正対象項目名】００６１
【補正方法】変更
【補正の内容】
【００６１】
シートＰのオフセット量と揺動ガイド上昇タイミングは、束排出ローラの戻し速度によるシートの静定時間に関り、すなわち、画像形成装置本体300の処理能力によって決まり、本実施の形態においては、シートの搬送速度750mm/s、オフセット量（ｂ＝20mm）位、束排出ローラ戻し速度500mm/sにおいて、束排出ローラの離間位置は、シートＰ1がストッパに当接する40mm（ａの値）手前に到達したタイミングに設定している。
【手続補正６】
【補正対象書類名】明細書
【補正対象項目名】００６７
【補正方法】変更
【補正の内容】
【００６７】
新たな針カートリッジが装填された場合、前述のフォーミング針検知センサによる信号に基づき、針頭出し動作（針検知するまでの空打ち動作）を実行した後、積載枚数が許容枚数以内の針カートリッジの場合、自動的にスタートしてリカバリー動作（残り部数のステイプル処理を行う）に移行する。
【手続補正７】
【補正対象書類名】明細書
【補正対象項目名】００７３
【補正方法】変更
【補正の内容】
【００７３】
新たな針カートリッジが装填された場合、前述のフォーミング針検知センサによる信号に基づき、針頭出し動作（針検知するまでの空打ち動作）を実行した後、積載枚数が許容枚数以内の針カートリッジの場合、自動的にスタートしてリカバリー動作（残り部数のステイプル処理を行う）に移行する。
【手続補正８】
【補正対象書類名】明細書
【補正対象項目名】図面の簡単な説明
【補正方法】変更
【補正の内容】
【図面の簡単な説明】
【図１】
本実施形のシート綴じ装置の斜視説明図である。
【図２】
針長さの説明図である。
【図３】
(a)は針カートリッジ底面図、(b)は各針カートリッジ搬送状態図である。
【図４】
識別信号に基づくカートリッジ状態／許容束枚数の検出状態テーブルである。
【図５】
本発明のシート処理装置の全体構成を示す正面図である。
【図６】
ステイプラと処理トレイ部の側面図である。
【図７】
図６のａ視図でステイプラ移動機構の平面図である。
【図８】
図６のｂ視図でステイプラの背面図である。
【図９】
(a)はステイプラ主断面図、(b)(c)は(a)の矢印方向図である。
【図１０】
揺動ガイドと処理トレイの縦断側面図である。
【図１１】
ノンソートモード時のシート処理装置の動作図である。
【図１２】
ステイプルソートモード時のシート処理装置の動作図である。
【図１３】
ステイプルソートモード時のシート処理装置の動作図である。
【図１４】
ステイプルソートモード時のシート処理装置の動作図である。
【図１５】
ステイプルソートモード時のシート処理装置の動作図である。
【図１６】
ステイプルソートモード時のシート処理装置の動作図である。
【図１７】
ステイプルソートモード時のシート処理装置の動作図である。
【図１８】
ステイプルソートモード時の動作フローチャートである。
【図１９】
他の実施形態を示す、識別信号に基づくカートリッジ状態／許容束枚数の検出状態テーブルである。
【図２０】
上記他の実施形態のステイプルソートモード時の動作フローチャートである。
【図２１】
従来例の補足図である。